【手続補正書】
【提出日】令和3年7月7日(2021.7.7)
【手続補正１】
【補正対象書類名】特許請求の範囲
【補正対象項目名】全文
【補正方法】変更
【補正の内容】
【特許請求の範囲】
【請求項１】
判別条件の成立に基づいて、判別を実行する判別手段と、
その判別手段の判別結果を示すための第１の識別情報を表示可能な表示手段と、
その表示手段において前記第１の識別情報を動的表示させてから前記判別手段の判別結果を示すための前記第１の識別情報を表示させることが可能な動的表示手段と、
前記表示手段に、特定の判別結果に対応する前記第１の識別情報が表示されたことに対応して、遊技者に有利となる特典遊技を実行する特典遊技実行手段と、を有した遊技機において、
前記特典遊技が終了した後の遊技状態として、第１遊技状態と、その第１遊技状態よりも遊技者に有利な第２遊技状態と、を少なくとも含む複数の中から１の遊技状態を設定する遊技状態設定手段と、
所定の報知を実行可能な第２の識別情報を少なくとも表示可能な複数の表示領域と、
前記判別手段の判別が実行されたことに基づいて、前記複数の表示領域のうち一部の表示領域を用いて前記第２の識別情報を動的表示させ、当該第２の識別情報の動的表示において所定の表示領域に対して予め定められた特定の識別情報を表示させることで前記特定の判別結果となったことを報知し、前記複数の表示領域に対して予め定められた特定の組み合わせの前記第２の識別情報を表示させることで前記特典遊技が終了した後の遊技状態が前記第２遊技状態となることをも報知することが可能な表示制御手段と、を備え、
前記表示制御手段は、前記判別手段の判別結果が前記特定の判別結果となった場合に、当該特定の判別結果を報知するための前記第２の識別情報が動的表示される期間である第１期間に連続する期間であって前記特典遊技が実行される期間のうちの少なくとも一部である第２期間において、前記複数の表示領域に前記第２の識別情報が停止表示された状態となるように表示制御可能であり、
前記遊技機は、
前記複数の表示領域とは少なくとも異なる所定位置において前記特定の判別結果となったことを示すための所定演出を実行可能な構成であり、
前記第２遊技状態において前記判別手段による所定の判別がされてから、当該所定の判別を含む複数回の判別がされる期間に渡って継続可能な演出によって、前記所定の判別を少なくとも含む１又は複数の判別で前記特定の判別結果となるかを遊技者に対して示唆可能な構成であり、
前記第２遊技状態で前記判別手段の判別結果を示すために実行される演出の実行中において、前記複数の表示領域のうち一部の表示領域で表示動作が行われている間に、前記第２期間の間は少なくとも変位しない所定の変位部材の変位動作が行われ得る構成であることを特徴とする遊技機。
【手続補正２】
【補正対象書類名】明細書
【補正対象項目名】０００７
【補正方法】変更
【補正の内容】
【０００７】
この目的を達成するために請求項１記載の遊技機は、判別条件の成立に基づいて、判別を実行する判別手段と、その判別手段の判別結果を示すための第１の識別情報を表示可能な表示手段と、その表示手段において前記第１の識別情報を動的表示させてから前記判別手段の判別結果を示すための前記第１の識別情報を表示させることが可能な動的表示手段と、前記表示手段に、特定の判別結果に対応する前記第１の識別情報が表示されたことに対応して、遊技者に有利となる特典遊技を実行する特典遊技実行手段と、を有するものであり、前記特典遊技が終了した後の遊技状態として、第１遊技状態と、その第１遊技状態よりも遊技者に有利な第２遊技状態と、を少なくとも含む複数の中から１の遊技状態を設定する遊技状態設定手段と、所定の報知を実行可能な第２の識別情報を少なくとも表示可能な複数の表示領域と、前記判別手段の判別が実行されたことに基づいて、前記複数の表示領域のうち一部の表示領域を用いて前記第２の識別情報を動的表示させ、当該第２の識別情報の動的表示において所定の表示領域に対して予め定められた特定の識別情報を表示させることで前記特定の判別結果となったことを報知し、前記複数の表示領域に対して予め定められた特定の組み合わせの前記第２の識別情報を表示させることで前記特典遊技が終了した後の遊技状態が前記第２遊技状態となることをも報知することが可能な表示制御手段と、を備え、前記表示制御手段は、前記判別手段の判別結果が前記特定の判別結果となった場合に、当該特定の判別結果を報知するための前記第２の識別情報が動的表示される期間である第１期間に連続する期間であって前記特典遊技が実行される期間のうちの少なくとも一部である第２期間において、前記複数の表示領域に前記第２の識別情報が停止表示された状態となるように表示制御可能であり、前記遊技機は、前記複数の表示領域とは少なくとも異なる所定位置において前記特定の判別結果となったことを示すための所定演出を実行可能な構成であり、前記第２遊技状態において前記判別手段による所定の判別がされてから、当該所定の判別を含む複数回の判別がされる期間に渡って継続可能な演出によって、前記所定の判別を少なくとも含む１又は複数の判別で前記特定の判別結果となるかを遊技者に対して示唆可能な構成であり、前記第２遊技状態で前記判別手段の判別結果を示すために実行される演出の実行中において、前記複数の表示領域のうち一部の表示領域で表示動作が行われている間に、前記第２期間の間は少なくとも変位しない所定の変位部材の変位動作が行われ得る構成である。
【手続補正３】
【補正対象書類名】明細書
【補正対象項目名】０００８
【補正方法】削除
【補正の内容】
【手続補正４】
【補正対象書類名】明細書
【補正対象項目名】００１０
【補正方法】変更
【補正の内容】
【００１０】
本発明の遊技機によれば、判別条件の成立に基づいて、判別を実行する判別手段と、その判別手段の判別結果を示すための第１の識別情報を表示可能な表示手段と、その表示手段において前記第１の識別情報を動的表示させてから前記判別手段の判別結果を示すための前記第１の識別情報を表示させることが可能な動的表示手段と、前記表示手段に、特定の判別結果に対応する前記第１の識別情報が表示されたことに対応して、遊技者に有利となる特典遊技を実行する特典遊技実行手段と、を有するものであり、前記特典遊技が終了した後の遊技状態として、第１遊技状態と、その第１遊技状態よりも遊技者に有利な第２遊技状態と、を少なくとも含む複数の中から１の遊技状態を設定する遊技状態設定手段と、所定の報知を実行可能な第２の識別情報を少なくとも表示可能な複数の表示領域と、前記判別手段の判別が実行されたことに基づいて、前記複数の表示領域のうち一部の表示領域を用いて前記第２の識別情報を動的表示させ、当該第２の識別情報の動的表示において所定の表示領域に対して予め定められた特定の識別情報を表示させることで前記特定の判別結果となったことを報知し、前記複数の表示領域に対して予め定められた特定の組み合わせの前記第２の識別情報を表示させることで前記特典遊技が終了した後の遊技状態が前記第２遊技状態となることをも報知することが可能な表示制御手段と、を備え、前記表示制御手段は、前記判別手段の判別結果が前記特定の判別結果となった場合に、当該特定の判別結果を報知するための前記第２の識別情報が動的表示される期間である第１期間に連続する期間であって前記特典遊技が実行される期間のうちの少なくとも一部である第２期間において、前記複数の表示領域に前記第２の識別情報が停止表示された状態となるように表示制御可能であり、前記遊技機は、前記複数の表示領域とは少なくとも異なる所定位置において前記特定の判別結果となったことを示すための所定演出を実行可能な構成であり、前記第２遊技状態において前記判別手段による所定の判別がされてから、当該所定の判別を含む複数回の判別がされる期間に渡って継続可能な演出によって、前記所定の判別を少なくとも含む１又は複数の判別で前記特定の判別結果となるかを遊技者に対して示唆可能な構成であり、前記第２遊技状態で前記判別手段の判別結果を示すために実行される演出の実行中において、前記複数の表示領域のうち一部の表示領域で表示動作が行われている間に、前記第２期間の間は少なくとも変位しない所定の変位部材の変位動作が行われ得る構成である。